(57)【要約】【課題】  遊技盤を取り付けるための開口部が設けられた枠体の強度低下を抑えつつ、遊技盤及び遊技領域の拡大化とそれに伴う遊技盤裏面の部品搭載スペースの拡大化を可能として遊技性を向上することができるパチンコ機を得る。【解決手段】  パチンコ機１０の内枠１４には、遊技盤１００が取り付けらる開口部２８の周縁に奥行方向へ延出された上壁部１５０、下壁部１６０、左壁部１７０、及び右壁部１８０を設ける。この各壁部によって、開口部２８を拡大させることによる内枠１４の強度低下が抑えられ、内枠１４の開口部２８を拡大させて遊技盤１００及び遊技領域の拡大化と、遊技盤１００裏面の部品搭載スペース拡大化に対応できるようになる。【選択図】        図３
2005185753.tif 000002
【特許請求の範囲】
【請求項１】
遊技者の操作により発射された遊技球が打ち込まれて遊技が行われる遊技領域が盤面に設けられた遊技盤と、
前記遊技盤が前記盤面を正面に向けて取り付けられる開口部が設けられた枠体と、
を備えたパチンコ機であって、
前記枠体は、前記開口部の周縁に奥行方向へ延出された壁部が設けられていることを特徴とするパチンコ機。
【請求項２】
前記壁部には、前記奥行方向に沿った断面形状において奥行方向と交差する方向へ屈曲された屈曲部が設けられていることを特徴とする請求項１記載のパチンコ機。
【請求項３】
前記壁部の基端部側に第１配線経路が配置され、壁部の先端部側に第２配線経路が配置されていることを特徴とする請求項１又は請求項２記載のパチンコ機。
【発明の詳細な説明】
【技術分野】
【０００１】
本発明は、パチンコ機に係り、詳細には、遊技盤を取り付けるための開口部が設けられた枠体を備えるパチンコ機に関する。
【背景技術】
【０００２】
遊技盤に設けられた遊技領域に遊技球を打ち込んで遊技を行うパチンコ機では、内枠の開口部に遊技盤が取り付けられ、内枠の前面における開口部（遊技盤）の下方に、遊技球を貯留して打球発射装置へ送り込む上皿（打球供給皿）、及び、機器内から賞球が払い出された際などに上皿に貯留しきれない余剰球を収容するとともにそれらを球箱へ排出することができる下皿（余剰球受け皿）が設けられている。また、近年では、上皿と下皿の機能を兼ね備えてそれらを一体化した所謂「一体皿」と呼ばれる打球供給皿を備えたパチンコ機も登場している（特許文献１参照）。
【０００３】
この一体皿を備えたパチンコ機の場合、上皿及び下皿の分離構成に比べて内枠の前面下部に確保する設置スペースを縮小化できるため、内枠の前面上部（開口部）に配置する遊技盤の拡大化とそれに伴う遊技領域の拡大化が可能であり、これによって、遊技性を向上できるという利点がある。
【０００４】
一方、パチンコ機の裏面下部には、比較的重量のある電源ユニットが配置されており、その電源ケーブルは、機器の裏面側を上方に引き回され機器上部から外部へと出されて、島側の上部に据え付けられているコンセントに接続されるようになっており、特許文献１のパチンコ機では、この電源ケーブルの組み付け作業性を向上させるとともに、パチンコ機裏面側の外観を良好にするため、内枠の裏面を引き回した電源ケーブルを、内枠の裏面に取り付ける裏セット（機構枠体）で覆い固定するようにしている。
【特許文献１】特開２００３−２１０７００号公報
【発明の開示】
【発明が解決しようとする課題】
【０００５】
しかしながら、近年のパチンコ機では、遊技性を高めるため遊技領域に配置する液晶表示装置や各種役物等を大型化させる傾向にあり、上記特許文献１に記載されるパチンコ機等においても、遊技盤及び遊技領域の更なる拡大化が望まれている。また、拡大させた遊技領域の広い範囲に、大型の液晶表示装置や各種役物、遊技部品等を配置するためには、遊技盤の裏面にも、液晶表示装置のドライバや制御基板、役物を駆動する電気的駆動源等の各種部品を搭載するためのより大きなスペースを確保する必要がある。
【０００６】
この遊技盤及び遊技領域の拡大化と、遊技盤裏面の部品搭載スペース拡大化に対応するには、例えば遊技盤が取り付けられる内枠の開口部を拡大させることが有効であると考えられる。しかし、近年のパチンコ機では、内枠を合成樹脂製の成形品として、軽量化、量産性の向上及び製造コストの低減を図っているため、開口部を単純に拡大すると、強度低下による変形や破損を招く問題がある。
【０００７】
また、特許文献１のパチンコ機では、内枠の裏面を引き回された電源ケーブルが裏セットによって覆われてはいるものの、その電源ケーブル被覆部の裏面側に配線される信号ケーブルと接近しているため、信号ケーブルを伝送される制御信号にノイズが出やすくなるという問題がある。特に、遊技盤の拡大化に対応するため、内枠の開口部を拡大させた場合には、内枠の裏面に電源ケーブルと信号ケーブルとを離間させて配線するための各配線経路が確保しにくくなるため、各ケーブルを必要距離だけ離間させて引き回す配線処理が複雑になり組み立て作業性やメンテナンス性が悪くなる問題がある。
【０００８】
本発明は上記事実を考慮して、遊技盤を取り付けるための開口部が設けられた枠体の強度低下を抑えつつ、遊技盤及び遊技領域の拡大化とそれに伴う遊技盤裏面の部品搭載スペースの拡大化を可能として遊技性を向上することができるパチンコ機を提供することを課題とする。また、枠体の裏面側を引き回す電源ケーブル及び信号ケーブルのノイズ対策と配線処理の簡素化を両立させた配線経路を確保することができるパチンコ機を提供することを課題とする。
【課題を解決するための手段】
【０００９】
上記目的を達成するために請求項１に記載の発明は、遊技者の操作により発射された遊技球が打ち込まれて遊技が行われる遊技領域が盤面に設けられた遊技盤と、前記遊技盤が前記盤面を正面に向けて取り付けられる開口部が設けられた枠体と、を備えたパチンコ機であって、前記枠体は、前記開口部の周縁に奥行方向へ延出された壁部が設けられていることを特徴としている。
【００１０】
請求項１に記載の発明では、盤面に遊技領域が設けられた遊技盤は、その盤面を正面に向けて、枠体に設けられた開口部に取り付けられる。遊技盤の盤面と向き合う遊技者によりパチンコ機が操作されることで発射された遊技球は、遊技盤の盤面に設けられた遊技領域に打ち込まれ、この遊技球が遊技領域内を自重落下することにより遊技が行われる。
【００１１】
ここで、上記の枠体には、開口部の周縁に奥行方向へ延出された壁部が設けられる。この壁部によって、枠体は、開口部を拡大させることで問題となる強度低下が抑えられる。これにより、枠体の開口部を拡大させて遊技盤及び遊技領域の拡大化と、遊技盤裏面の部品搭載スペース拡大化に対応できるようになり、パチンコ機１０の遊技性を向上することができる。
【００１２】
請求項２に記載の発明は、請求項１記載のパチンコ機において、前記壁部には、前記奥行方向に沿った断面形状において奥行方向と交差する方向へ屈曲された屈曲部が設けられていることを特徴としている。
【００１３】
請求項２に記載の発明では、壁部に、壁部を奥行方向に沿った断面形状で見た場合にその奥行方向と交差する方向へ屈強された屈曲部を設けることにより、壁部の断面係数が大きくなって強度が向上する。これにより、枠体の強度をより向上させる、あるはいは壁部を薄肉化させて遊技盤裏面の部品搭載スペースをより大きくすることが可能になる。
【００１４】
請求項３に記載の発明は、請求項１又は請求項２記載のパチンコ機において、前記壁部の基端部側に第１配線経路が配置され、壁部の先端部側に第２配線経路が配置されていることを特徴としている。
【００１５】
請求項３に記載の発明では、壁部の基端部側に第１配線経路を配置し、先端部側に第２配線経路を配置することにより、第１配線経路と第２配線経路とは離間して配置される。これにより、例えば電源ケーブルを第１配線経路に、信号ケーブルを第２配線経路にそれぞれ配線すれば、電源ケーブルと信号ケーブルとは離間して配線されるとともに、複雑な配線処理等を施さなくても、各ケーブルを必要距離だけ離間させて容易に引き回すことができる。したがって、枠体の裏面側を引き回す電源ケーブル及び信号ケーブルのノイズ対策と配線処理の簡素化を両立させた配線経路を確保できる。
【発明の効果】
【００１６】
本発明のパチンコ機は上記構成としたので、遊技盤を取り付けるための開口部が設けられた枠体の強度低下を抑えつつ、遊技盤及び遊技領域の拡大化とそれに伴う遊技盤裏面の部品搭載スペースの拡大化を可能として遊技性を向上することができる。また、枠体の裏面側を引き回す電源ケーブル及び信号ケーブルのノイズ対策と配線処理の簡素化を両立させた配線経路を確保することができる。
【発明を実施するための最良の形態】
【００１７】
以下、本発明の実施形態に係るパチンコ機について図面を参照して説明する。
【００１８】
図１には本発明の一実施形態に係るパチンコ機が示され、図２には本実施形態に係るパチンコ機に適用される内枠、ガラス枠、及び遊技盤が示されている。
【００１９】
図１に示されるように、パチンコ機１０は、パチンコ機１０の外郭を構成するとともにパチンコホールの島設備に設置される矩形状の外枠１２を備えている。外枠１２の前面には矩形額縁状の内枠１４が配置されており（図２参照）、内枠１４は、外枠１２に設けられた一対のヒンジ部１６、１８に左側端部が軸支されて開閉可能に取り付けられている。また外枠１２の前面下部には、化粧パネルとなる下飾り２０が取り付けられている。
【００２０】
内枠１４の前面上部には、ガラス板２２を装着したガラスフレーム２４を窓部２５に備えるガラス枠２６が配置されており、ガラス枠２６は左側端部が内枠１４に軸支されて開閉可能に取り付けられている。また、ガラスフレーム２４に装着されたガラス板２２は、図１の紙面奥行き方向に所定の間隔で互いに平行に配置された一対のガラス板からなる二重構造となっている。このガラス枠２６の裏面側となる内枠１４の上部には、矩形状の開口部２８が設けられている。開口部２８には、交換可能とされた遊技盤１００がセットされており、遊技盤１００は、ガラス枠２６を内枠１４に閉塞した状態でガラス枠２６（ガラス板２２）に覆われるようになっている。
【００２１】
ガラス枠２６の前面には、賞球表示灯や完了表示灯等としての機能を有する複数の表示灯１４０と、遊技の進行に応じて点灯又は点滅等し照明による演出効果を生み出す演出用の表示灯１４２とがガラス板２２（遊技盤１００の遊技領域）を取り囲むように配置されており、さらに左上隅及び右上隅には、賞球払出エラー及び払出状態エラー等の各種エラーを報知するエラー用の表示灯１４４が配置されている。また、各エラー用の表示灯１４４の内側には、遊技の効果音をステレオ出力するスピーカー１４６Ｌ、１４６Ｒが配設されている。
【００２２】
内枠１４の前面下部には、一般的な上皿及び下皿の機能を兼ね備える打球供給皿としての一体皿３０が配置されている。一体皿３０は、パネル部材３２の左側端部が内枠１４に軸支されて開閉可能に取り付けられており、パネル部材３２の前面には、上部に遊技球を貯える球皿部３４が形成された球皿本体３６が突設されている。
【００２３】
球皿部３４の底面は、正面視にて左側から右側へ下り傾斜しており、その傾斜方向下流側となる左側には、遊技球を１列に整列してパネル部材３２の裏面に配置された球送り装置（図示省略）に送り込むための整列通路が設けられている。パネル部材３２の前面の右側上部には、パチンコ機１０内に設けられた後述する賞球払出装置８６から払い出された賞球が排出される賞球排出口４６が形成されている。この賞球排出口４６から排出された賞球は球皿部３４に貯留され、球皿部３４内を左方向へ流下し整列通路により１列に整列されて球送り装置に送り込まれる。
【００２４】
また、パネル部材３２の前面における左側下部には灰皿３８が設けられ、右側下部には打球の飛距離を調整するための発射ハンドル３９が取り付けられている。
【００２５】
図２に示されるように、内枠１４の前面下部における一体皿３０の裏面側には、遊技盤１００の左下に発射装置４０が配置され、球皿本体３６の後方に位置して、内枠１４に着脱可能に構成された貯球タンク４２が２個のプラスチックファスナー４３によって取り付けられている。これらの発射装置４０及び貯球タンク４２は、一体皿３０を内枠１４に閉塞すると一体皿３０に覆われるようになっている。
【００２６】
貯球タンク４２は、上面が開口した箱型とされ、底面４４が正面視にて左側から右側へ下り傾斜している。底面４４の傾斜方向上流側となる貯球タンク４２の左側面部にはタンク入口９７が形成され（図４参照）が形成され、傾斜方向下流側となる貯球タンク４２の前面右側端部には、一体皿３０のパネル部材３２に設けられた賞球排出口４６と対応する位置にタンク出口４５が形成されている。したがって、一体皿３０を内枠１４に閉塞した状態では、貯球タンク４２と一体皿３０の球皿部３４とが、タンク出口４５及び賞球排出口４６を介して連通される。
【００２７】
また、一体皿３０のパネル部材３２裏面における賞球排出口４６の下方位置と、内枠１４前面の下部右側におけるタンク出口４５の下方位置とには、上下方向に移動可能とされたシャッター板がそれぞれ設けられている（図２では内枠１４側のシャッター板５０のみを図示している）。これらのシャッター板は、一体皿３０が閉塞されると各々下方へ移動して（図２に示したシャッター板５０の位置）、タンク出口４５と賞球排出口４６とを連通させ、一体皿３０が開放されると各々上方へ移動して、内枠１４側のシャッター板５０はタンク出口４５の下縁側を、一体皿３０側のシャッター板は賞球排出口４６の下縁側を塞ぐよう構成されている。このシャッター板により、一体皿３０を開放した際は、貯球タンク４２及び球皿部３４から遊技球（賞球）が流出しないようせき止められる。
【００２８】
図３及び図４に示されるように、内枠１４の裏面上部には、島設備の球補給装置から供給される遊技球を貯える貯留タンク８０が取り付けられている。貯留タンク８０は、底面８２が裏面視左側から右側へ向けて下り傾斜されており、右側端部には、遊技球をパチンコ機１０の前後方向（奥行き方向）に２列に整列する球整列通路（排出通路）８４が形成されている。
【００２９】
貯留タンク８０の右側には、賞球払出装置８６が配置されて球導入通路８７が球整列通路８４に接続されている。この球導入通路８７と一体的に設けられたケース８８内には、球払出機構として、球整列通路８４及び球導入通路８７に対応して前後方向に所定の間隔で配列されるとともに位相が異なる２枚のカム板部（スプロケット）を備えたカム軸１３０が収納されている。また、カム軸１３０を回転駆動する駆動源としてのステッピングモータ１３２は、内枠１４の裏面に取り付けられたモータカバー１３４内に収納されており、モータカバー１３４の裏面にケース８８を取り付けると、ステッピングモータ１３２にカム軸８８が連結される（図４では球導入通路８７及びケース８８の図示を省略している。）
賞球払出装置８６の下方には、内枠１４裏面の右側端部に、上下方向に延出された球通路部材９０が配置されている。球通路部材９０は、３個のプラスチックファスナー９２によって内枠１４の裏面に着脱可能に取り付けられており、上端部に形成された球導入口９４が賞球払出装置８６の球排出口８９に接続され、下端部左側に形成された球排出口９６が、貯球タンク４２の裏面視右側面部に形成されたタンク入口９７に接続されている（図４参照）。また、図４に示されるように、球通路部材９０の内部に形成された球通路９８は、賞球払出装置８６に設けられたカム軸１３０の２枚のカム板部と対応して前後方向に隣接配置された一対の通路からなる２条構造とされており、球導入口９４と接続された上端部付近から下部までの所定範囲が前後方向に蛇行状に屈曲され、下部から左方向へ屈曲されて球排出口９６に接続されている。
【００３０】
これにより、貯留タンク８０内へ供給された遊技球は、貯留タンク８０内を右方向へ流下しながら球詰まりとならないよう球整列通路８４により前後方向に２列に整列され、球導入通路８７を通って賞球払出装置８６のカム軸１３０へ送り込まれ、賞球払出装置８６の作動時に、ステッピングモータ１３２が回転駆動しカム軸１３０を回転させると、カム軸１３０の各カム板部によって球導入通路８７の各列から交互に球排出口８９を通り下方へ排出される。そして、球通路部材９０の各球導入口９４に入り、球通路部材９０内の各球通路９８を通って球排出口９６からタンク入口９７を介し貯球タンク４２内へ排出される。また、球通路部材９０内の球通路９８が蛇行状にされているため、球通路９８を流下する遊技球（賞球）の速度が抑えられて球通路９８の下端部に加わる遊技球の落下衝撃は緩和される。さらに、貯球タンク４２内が満杯になり、賞球払出装置８６によって継続して払い出された遊技球が球通路９８に滞留する場合でも、球通路９８の下流側に滞留した遊技球に掛かる上流側の遊技球による圧力は、球通路９８の蛇行形状によって減少されるため、球通路９８あるいは貯球タンク４２内での球詰まり発生が防止される。
【００３１】
さらに、球通路部材９０から、図２に示される貯球タンク４２の右側面部に形成されたタンク入口９７を介して貯球タンク４２内へ導入された遊技球（賞球）は、正面視にて左側から右側へ下り傾斜している貯球タンク４２の底面４４上を転動し、タンク出口４５及び賞球排出口４６を介して一体皿３０の球皿部３４へ排出される。そして球皿部３４が遊技球で満杯になると、球皿部３４に貯留しきれない余剰球は貯球タンク４２に貯留される。また、貯球タンク４２の底面４４における最上流部（正面視左側部）には球検出スイッチが設けられており、貯球タンク４２が遊技球で満杯になり、球検出スイッチが遊技球に押されて満杯であることが検出されると、その満杯状態が解消されるまで、賞球の払い出しが一時的に停止する。
【００３２】
また、図３及び図４に示されるように、内枠１４の裏面下部には電源ユニット２５０が取り付けられており、電源ユニット２５０の後方には払出発射制御基板２６０が配置されている。払出発射制御基板２６０は、透明樹脂材料によってケース状に形成された回路アダプター２６２内に、基板本体（図示省略）が収納されて構成されている。この払出発射制御基板２６０は、回路アダプター２６２が、３個のプラスチックファスナー２６４と、球通路部材９０の左下部の取り付けと兼用される１個のプラスチックファスナー９２とによって内枠１４の裏面に着脱可能に取り付けられている。また基板本体には、パチンコ機１０を動作させるための各種制御信号を伝送する信号ケーブルが接続される複数のコネクタ２６６が実装されている。
【００３３】
図３に示されるように、内枠１４裏面の左側端部（正面視右側端部）には、上下方向に延出された施錠装置５２が取り付けられている。施錠装置５２の下部にはシリンダー錠（錠前）５４が設けられており、シリンダー錠５４の鍵孔５６は、内枠１４前面の右下部に設けられた台座５５から露出されている。
【００３４】
施錠装置５２の裏面側における上下端部近傍には、後方へ突出された一対の内枠固定用フック６０Ａ、６０Ｂが設けられている。施錠装置５２の前面側におけるガラス枠２６との対応位置には、一対のガラス枠固定用フック６２Ａ、６２Ｂが設けられており、このガラス枠固定用フック６２Ａ、６２Ｂは、内枠１４前面の右側端部に形成されたスリット６４Ａ、６４Ｂを通して前方へ突出されている。また、施錠装置５２の前面側における一体皿３０との対応位置には、上下方向にスライドする一対の一体皿固定用鍵受け部材６６Ａ、６６Ｂが設けられている。
【００３５】
これにより、内枠１４を外枠１２に閉塞すると、施錠装置５２の内枠固定用フック６０Ａ、６０Ｂが外枠１２の正面視右内側面設けられた一対の鍵受け部（図示省略）に係合し、内枠１４は外枠１２に保持される。ガラス枠２６を内枠１４に閉塞すると、ガラス枠２６裏面の右側端部に取り付けられているガラス枠補強板６８に設けられた一対の鍵受け部７０Ａ、７０Ｂが施錠装置５２のガラス枠固定用フック６２Ａ、６２Ｂに係合し、ガラス枠２６は内枠１４に保持される。また、一体皿３０を内枠１４に閉塞すると、一体皿３０裏面の右側端部に取り付けられている一対のフック（図示省略）が施錠装置５２の一体皿固定用鍵受け部材６６Ａ、６６Ｂに係合し、一体皿３０は内枠１４に保持される。
【００３６】
また、内枠固定用フック６０Ａ、６０Ｂ及びガラス枠固定用フック６２Ａ、６２Ｂは、シリンダー錠５４の鍵孔５６に図示しない鍵を差し込んで所定の方向に回すことにより、それぞれ係合状態が解除され解錠されるようになっている。一体皿固定用鍵受け部材６６Ａ、６６Ｂは、ガラス枠２６を開放すると露出される施錠装置５２の解除レバー７２を押し下げることにより、一体皿固定用鍵受け部材６６Ａ、６６Ｂが下方へスライドして一体皿３０の各フックとの係合状態が解除されるようになっている。
【００３７】
この施錠装置５２により、内枠１４は外枠１２に、ガラス枠２６は内枠１４にそれぞれ施錠されるとともに、一体皿３０は内枠１４にロックされて、それぞれ閉塞状態に固定される。
【００３８】
図２に示されるように、遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２、内レール１０４によって囲まれた円形状の領域は、遊技球が移動可能な遊技領域１０１とされている。
【００３９】
遊技領域１０１には、液晶ディスプレイを内蔵した特別図柄表示装置や、入賞口、始動口（スタート・チャッカー）、通過入賞口（スルー・チャッカー）、又、大入賞口（アタッカー）を備えた変動入賞装置（特別電動役物）がそれぞれ所定の位置に配置されると共に、遊技領域１０１内を落下する遊技球を所定の経路に誘導する多数の遊技釘等が設けられており（何れも図示省略）、最下位置にアウト口１２４が配置されている。
【００４０】
次に、本実施形態に係るパチンコ機１０における内枠１４の開口部２８の構成について説明する。
【００４１】
本実施形態では、内枠１４が樹脂成形品とされており、上述したように、内枠１４の上部に設けられた矩形状の開口部２８には、遊技盤１００がセットされるようになっている。
【００４２】
図３〜図４に示されるように、この矩形状のとされた開口部２８の周縁には、上下左右の各縁部に、後方へ延出された上壁部１５０、下壁部１６０、左壁部１７０、及び右壁部１８０が設けられている。この各壁部は、開口部２８の辺方向における各端部が、隣接する壁部の端部と接続されて周状に構成されている。また、各壁部の奥行き方向の寸法（壁部の高さ寸法）は同一とされ、本実施形態では、図５に示されるように、各壁部の奥行き方向寸法：Ｈ２は、内枠１４の枠本体部１５の奥行き方向寸法：Ｈ１の約５倍とされている。
【００４３】
なお、以下の説明では、各壁部の奥行き方向における前側（開口部２８の周縁との接続端側）を基端側、後側を先端側と呼ぶ場合がある。
【００４４】
上壁部１５０は、開口部２８の上縁から下方（開口部２８の内方）へ延出された上下壁１５２と、上下壁１５２の下端部から後方へ略直角に屈曲され延出された前後壁（上壁部本体）１５４とを備えている。したがって、この上壁部１５０は、垂直断面を側面視した場合の断面形状がＬ字型となっている。また前後壁１５４は、左右方向における中央部よりも少し左側において下方へクランク状に屈曲されている。
【００４５】
下壁部１６０は、開口部２８の下縁から後方へ略水平に延出された前後壁（下壁部本体）１６２を備えており、この下壁部１６０は、垂直断面を側面視した場合の断面形状が直線状となっている。また前後壁１６２は、左右方向における中央部よりも少し左側において上方へクランク状に屈曲されている。
【００４６】
左壁部１７０は、開口部２８の左縁から右方（開口部２８の内方）へ延出されるとともに上壁部１５０の上下壁１５２と同一面に配置された左右壁１７２と、左右壁１７２の右端部から後方へ略直角に屈曲され延出された前後壁（左壁部本体）１７４と、前後壁１７４の後部から右方へ略直角に屈曲され延出された左右壁１７６とを備えている。したがって、この左壁部１７０は、水平断面を平面視した場合の断面形状がクランク状となっている。また前後壁１７４は、開口部２８の左縁に沿って直線状に形成されており、前後壁１７４の内面における上下端部近傍には、一対の遊技盤支持部１９０が設けられている。
【００４７】
遊技盤支持部１９０は、裏面側が開口し内部が空洞とされた箱状とされており、前面には板バネ１９２が取り付けられている。また、各遊技盤支持部１９０の前方には、枠本体部１５の左側の前縁に一対のフック１９４が設けられており、左右壁１７２における各フック１９４との対応部位には、内枠１４の成形時にフック１９４を型成形するための孔部１９６がそれぞれ形成されている。これらのフック１９４及び板バネ１９２により、遊技盤１００の左側端部は、開口部２８にセットされた遊技盤１００の左側端部の前縁に各フック１９４が係合し、左側端部の裏面が各板バネ１９２によって前方へ付勢されることにより固定される。
【００４８】
左右壁１７６は、その上端部が上壁部１５０の前後壁１５４の後端部に接続され、下端部が下壁部１６０の前後壁１６２の後端部に接続されている。また、前述した内枠１４の裏面に着脱可能とれた球通路部材９０は、この左右壁１７６の裏面に取り付けられている。
【００４９】
右壁部１８０は、図３及び図４に示されるように、開口部２８の右縁から左方（開口部２８の内方）へ延出されるとともに上壁部１５０の上下壁１５２と同一面（図２参照）に配置された左右壁１８２と、左右壁１８２の右端部から後方へ略直角に屈曲され延出された前後壁（右壁部本体）１８４と、前後壁１８４の後部から左方へ略直角に屈曲され延出された左右壁１８６とを備えている。したがって、この右壁部１８０は、水平断面を平面視した場合の断面形状がクランク状となっている。
【００５０】
前後壁１７４は、開口部２８の右縁に沿って直線状に形成されており、前後壁１７４の上下端部には、前後壁１７４を内方へ膨出させて形成された一対の遊技盤固定部２００が設けられている。
【００５１】
左右壁１８２と同一面となる各遊技盤固定部２００の前面には、前方へ突出された円筒状の基台２０２がそれぞれ設けられ、各基台２０２の前面には、左右方向へ回転可能とされた一対のロックレバー２０４が突設されている。一方、遊技盤１００の右側端の上下端部には、一対の固定板２０６が取り付けられており、各固定板２０６には、ロックレバー２０４に対応する縦長略ひし形状のレバー孔２０８が形成されている（図２では下側のレバー孔２０８は図示省略）。
【００５２】
これらのロックレバー２０４及び固定板２０６により、遊技盤１００の右側端部は、開口部２８にセットされた遊技盤１００の各固定板２０６の各レバー孔２０８に、縦向きの状態（図２の状態）とされた各ロックレバー２０４が挿入され、各ロックレバー２０４を横向きの状態に回転させると、各レバー孔２０８の孔縁に各ロックレバー２０４が係合し固定される。また、各ロックレバー２０４を縦向きの状態に戻すと、各レバー孔２０８の孔縁との係合状態が解除されて遊技盤１００の取り外しが可能になる。
【００５３】
また、図３及び図４に示されるように、左右壁１８２の裏面（前後壁１８４の基端部近傍）には、島設備のコンセントに接続されて電源ユニット２５０に電源電力を供給する電源ケーブルを配線するための電源ケーブル配線通路２１０が上下方向に延設されている。左右壁１８６のの裏面（前後壁１８４の先端面部）には、払出発射制御基板２６０のコネクタ２６６に接続されて各種制御信号（ＤＣ）を伝送する信号ケーブルを配線するための信号ケーブル配線通路２１２が前後壁１８４の先端面部に沿って延設されている。
【００５４】
これらの電源ケーブル配線通路２１０及び信号ケーブル配線通路２１２は、通路の断面形状がコ字状とされており、通路内面の先端には複数の爪部２１４、２１６が設けられている。したがって、電源ケーブル配線通路２１０に電源ケーブルを引き回すと、電源ケーブルは電源ケーブル配線通路２１０内に収納されるとともに爪部２１４によって通路内に保持され、信号ケーブル配線通路２１２に信号ケーブルを引き回すと、信号ケーブルは信号ケーブル配線通路２１２内に収納されるとともに爪部２１６によって通路内に保持される。また、払出発射制御基板２６０から上方へ引き出されて信号ケーブル配線通路２１２を配線された信号ケーブルは、貯留タンク８０の下方に配置された中継基板２７０のコネクタ２７２に接続される。さらに、中継基板２７０を介して分岐された信号ケーブルは、内枠１４の上部に配置された基板や賞球払出装置８６等に接続される。
【００５５】
次に、以上説明した本実施形態に係るパチンコ機１０の作用について説明する。
【００５６】
本実施形態のパチンコ機１０では、内枠１４の遊技盤１００が取り付けられる開口部２８の周縁に、奥行方向へ延出された上壁部１５０、下壁部１６０、左壁部１７０、及び右壁部１８０が設けられている。この各壁部によって、内枠１４、開口部２８を拡大させることで問題となる強度低下が抑えられ、内枠１４の開口部２８を拡大させて遊技盤１００及び遊技領域１０１の拡大化と、遊技盤１００裏面の部品搭載スペース拡大化に対応できている。これにより、パチンコ機１０の遊技性を向上することができている。
【００５７】
また、本実施形態では、上壁部１５０、左壁部１７０、及び右壁部１８０に、各壁部を奥行方向に沿った断面形状で見た場合にその奥行方向と交差する方向へ屈強された屈曲部（上壁部１５０では上下壁１５２、左壁部１７０では左右壁１７２及び左右壁１７６、右壁部１８０では左右壁１８２及び左右壁１８６）を設けていることにより、各壁部の断面係数が大きくなって強度が向上している。これにより、内枠１４の強度を必要強度に保ちつつ、各壁部を薄肉化させて遊技盤１００裏面の部品搭載スペースをより大きくすることができている。
【００５８】
また、本実施形態では、内枠１４の裏面側における右壁部１８０の基端部側（左右壁１８２の裏面）に電源ケーブル配線通路２１０を配置し、右壁部１８０の先端部側（左右壁１８６の裏面／前後壁１８４の先端面）に信号ケーブル配線通路２１２を配置していることにより、電源ケーブル配線通路２１０と信号ケーブル配線通路２１２とは右壁部１８０（前後壁１８４）の高さ寸法相当離間して配置されている。これにより、電源ケーブルと信号ケーブルとを十分に離間させて配線できているとともに、複雑な配線処理等を施さなくても、各ケーブルを必要距離だけ離間させて容易に引き回すことができている。したがって、内枠１４の裏面側を引き回す電源ケーブル及び信号ケーブルのノイズ対策と配線処理の簡素化を両立させた配線経路を確保できている。
【００５９】
以上、本発明を上述した特定の実施形態により詳細に説明したが、本発明はそれに限定されるものではなく、本発明の範囲内にて他の種々の実施形態が可能である。
【００６０】
例えば、上述した実施形態では右壁部１８０の基端部側に電源ケーブル配線通路２１０を、右壁部１８０の先端部側に信号ケーブル配線通路２１２を配置しているが、これらを逆に配置することも可能である。
【図面の簡単な説明】
【００６１】
【図１】本発明の一実施形態に係るパチンコ機を示す正面図である。
【図２】図１のパチンコ機における内枠、ガラス枠、及び遊技盤を示す正面側から見た斜視図である。
【図３】図１のパチンコ機における内枠、ガラス枠、及び遊技盤を示す裏面側から見た斜視図である。
【図４】図１のパチンコ機における内枠及び遊技盤を示すとともに球通路部材が取り外された状態を示す裏面側から見た斜視図である。
【図５】図１のパチンコ機における内枠を示す右側面図である。
【符号の説明】
【００６２】
１０        パチンコ機
１４        内枠（枠体）
２８        開口部
１００        遊技盤
１００Ａ      盤面
１０１        遊技領域
１５０        上壁部（壁部）
１５２        上下壁（壁部／屈曲部）
１５４        前後壁（壁部）
１６０        下壁部（壁部）
１６２        前後壁（壁部）
１７０        左壁部（壁部）
１７２        左右壁（壁部／屈曲部）
１７４        前後壁（壁部）
１７６        左右壁（壁部／屈曲部）
１８０        右壁部（壁部）
１８２        左右壁（壁部／屈曲部）
１８４        前後壁（壁部）
１８６        左右壁（壁部／屈曲部）
２１０        電源ケーブル配線通路（第１配線経路）
２１２        信号ケーブル配線通路（第２配線経路）
【図１】
2005185753.tif 000003
【図２】
2005185753.tif 000004
【図３】
2005185753.tif 000005
【図４】
2005185753.tif 000006
【図５】
2005185753.tif 000007